(57)【要約】【課題】既存の屋根梁に対し負担を増加させるようなリフォームを行う場合、施工時に住人にかける迷惑を可及的に軽減すると共に既存の屋根梁を合理的に補強する。【解決手段】合成梁Ｃは、既存の屋根梁１１の直上の屋根パネル１２に複数の孔を形成し、この孔を利用して接合金物１４を屋根梁１１に取り付けると共に鉄骨梁又は木造梁からなる補強梁１３を接続する。屋根梁１１に対する負荷が過大になるような場合、既存の柱１６の直上に孔を形成し、この孔を利用して連結金物１９を柱１６の直上に載置すると共に該連結金物１９を利用して補強梁１３を連結する。接合金物１４は、接続片１４ｅの両端部に下部取付片１４ａ及び上部取付片１４ｂを設け、下部取付片１４ａに形成されたボルト穴１４ｃが上部取付片１４ｂに形成されたボルト穴１４ｄよりも内側に配置されている。【選択図】　　　　　　　　図４
2004092036.tif 000002
【特許請求の範囲】
【請求項１】
既存の屋根梁の直上の屋根パネルに該屋根梁に沿って複数の孔を形成し、該孔を利用して接合金物を屋根梁に取り付けると共に該接合金物に梁を接続したことを特徴とする屋根合成梁構造。
【請求項２】
既存の柱の直上の屋根パネルに孔を形成し、該孔を利用して連結金物を前記柱に載置すると共に、前記連結金物を利用して梁を連結したことを特徴とする請求項１に記載した屋根合成梁構造。
【請求項３】
垂直部と該垂直部の両端部に取り付けた下部取付片及び上部取付片とを有し、下部取付片及び上部取付片は夫々複数のボルト穴が形成され、前記ボルト穴は下部取付片に形成されたボルト穴が上部取付片に形成されたボルト穴よりも内側に配置されていることを特徴とする接合金物。
【発明の詳細な説明】
【０００１】
【発明の属する技術分野】
本発明は、既存の住宅の屋根梁に対し、荷重や力の負担を増加させるようなリフォームを行う場合に有利な合成梁構造と、この合成梁構造を実現する際に用いる接合金物に関するものである。
【０００２】
【従来の技術】
住宅の屋根をリフォームする一形態として、現在の陸屋根を勾配屋根にしたり、小屋裏空間を利用するような場合がある。この場合、新たに設置する勾配屋根の荷重や、該勾配屋根に作用する風や地震時の力、小屋裏空間を利用することによる積載荷重等が新たな負荷として発生する。新たに発生した負荷が既存の屋根梁によって安全に負担し得る値であれば良いが、安全に負担し得ないような場合、既存の屋根梁を補強して安全性を確保することが必須となる。
【０００３】
既存の屋根梁を補強する際の施工方法として、天井の内装の一部を撤去して既存の屋根梁を新たな屋根梁に交換し、或いは既存の屋根梁の下方に新たな梁を沿わせて一体化させる方法（第１の方法）や、既存の屋根梁に沿って陸屋根を撤去した後、既存の屋根梁に新たな梁を沿わせて溶接等により一体化させる方法（第２の方法）、既存の柱の上部に継ぎ柱を溶接等の手段で固定し、この継ぎ柱に新たな屋根を支持するために設計した新たな屋根梁を接続する方法（第３の方法）等がある。
【０００４】
【発明が解決しようとする課題】
上記第１の方法では、天井の内装を撤去することから、作業は室内で行われることとなり、住人に多大な迷惑をかけることになるという問題や、既存の屋根梁の仕様を変更するため、梁のせいが増加し、この分天井が低くなってしまうという問題がある。
【０００５】
また第２の方法であっても、陸屋根の一部を撤去するため、作業は屋根上で行われるものの、住人に多大な迷惑をかけることに変わりはないという問題がある。
【０００６】
また第３の方法では、継ぎ柱を利用して新たに設置された屋根梁が、既存の屋根梁の存在に関わらず新たな屋根を支持することとなり、陸屋根の撤去範囲が既存の柱に限定されるため、作業性を向上させることができる。しかし、既存の柱に継ぎ柱を溶接するために、既存の柱の周囲の陸屋根や天井を大きく撤去する必要があり、住人に多大な迷惑をかけることになるという問題や、継ぎ柱に接続する新たな屋根梁は単独で屋根荷重を負担し得る仕様を有するため、結局多くの鉄骨を使用することとなり、無駄が生じるという問題がある。
【０００７】
本発明の目的は、住人にかける迷惑を可及的に軽減し、且つ既存の屋根梁を合理的に補強することが出来る屋根合成梁構造を提供すると共に、該屋根合成梁構造を実現する際に用いて有利な接合金物を提供することにある。
【０００８】
【課題を解決するための手段】
上記課題を解決するために本発明に係る屋根合成梁構造は、既存の屋根梁の直上の屋根パネルに該屋根梁に沿って複数の孔を形成し、該孔を利用して接合金物を屋根梁に取り付けると共に該接合金物に梁を接続したものである。
【０００９】
上記屋根合成梁構造（以下、単に「合成梁」という）では、既存の屋根梁の直上の屋根パネルに複数の孔を形成し、該孔を介して接合金物を既存の屋根梁（以下、単に「屋根梁」という）に取り付けると共に該接合金物に通常は鉄骨梁又は木造梁からなる梁（以下、「補強梁」という）を接続することで、屋根梁と補強梁とが長さ方向の複数の部位で互いに接合される。このため、リフォームにより増加した荷重や力は、補強梁から屋根梁に対し接合金物を介して伝達されることとなり、これらの力を補強梁及び屋根梁によって負担することが出来る。即ち、補強梁と屋根梁を接合金物を介して接合した合成梁を構成することが出来る。
【００１０】
特に、屋根梁に補強梁を接合する場合、屋根梁に沿った複数の位置に於ける既存の屋根パネルに孔を形成すれば良いため、撤去すべき屋根パネルの面積を小さくすることが出来る。また既存の屋根パネルを撤去する作業や、屋根梁に接合金物を取り付ける作業を上部側（屋根上側）からの作業によって行うことが出来るため、住人に対する迷惑を可及的に軽減することが出来る。
【００１１】
上記合成梁構造に於いて、既存の柱の直上の屋根パネルに孔を形成し、該孔を利用して連結金物を前記柱の直上に載置すると共に、前記連結金物を利用して補強梁を連結する。合成梁構造をこのように構成することで、１本の柱に集中する複数の補強梁を連結金物によって連結することが出来る。このため、補強梁に作用する鉛直方向の力の一部を連結金物を介して既存の柱に直接伝達することが出来、屋根梁に補強梁を沿わせた合成梁を構成したとき、屋根梁と既存の柱との連結部位に過大な剪断力を作用させることがない。
【００１２】
また本発明に係る接合金物は、垂直部と該垂直部の両端部に取り付けた下部取付片及び上部取付片とを有し、下部取付片及び上部取付片は夫々複数のボルト穴が形成され、前記ボルト穴は下部取付片に形成されたボルト穴が上部取付片に形成されたボルト穴よりも内側に配置されているものである。
【００１３】
上記接合金物では、下部取付片に形成されたボルト穴が上部取付片に形成されたボルト穴よりも内側に形成されるため、下部取付片を上部取付片よりも小さくすることが出来る。このため、既存の屋根パネルに於ける撤去すべき部位の面積を小さくすることが可能となり、撤去すべき屋根パネルの面積を小さくして作業性を向上させることが出来る。
【００１４】
【発明の実施の形態】
以下、本発明に係る合成梁構造と、この合成梁を構成する際に用いて有利な接合金物の好ましい実施形態について説明する。本発明は、既存の住宅をリフォームするに際し、屋根梁（既存の屋根梁）に対する負荷が増大するような場合、この屋根梁に補強梁を沿わせて接合金物で接合した合成梁の構造に関するものであり、既存の住宅に於ける屋根の撤去面積を可及的に軽減することで住人に対する迷惑を軽減すると共に、合理的な屋根梁の補強を実現したものである。
【００１５】
屋根梁に対する負荷を増大させるようなリフォームの内容は特に限定するものではない。このようなリフォームとしては、例えば既存の住宅に於ける陸屋根を寄棟屋根や切妻屋根のような勾配屋根にしたり、陸屋根を勾配屋根にすると共に小屋裏空間を利用し得るようにしたり、更に、現在は利用していない小屋裏空間を利用し得るようにする場合がある。
【００１６】
既存の住宅の構成についても特に限定するものではない。従って、既存の住宅の躯体は木造、或いは鉄骨造の何れであっても好ましく適用することが可能である。しかし、木造の場合、材質の均質性にバラツキが生じるのが一般的であり、柱−梁，梁−梁の接合部に於ける接合強度が計算し難いという問題がある。この点鉄骨造の場合、材質が均一であり品質が安定しているため、接合部の強度も安定しているため好ましい。
【００１７】
上記の点から、鉄骨躯体を有し、該鉄骨躯体に軽量気泡コンクリートパネル（ＡＬＣパネル）からなる屋根パネルを取り付けて、屋根を構成した工業化住宅であることが好ましい。このような住宅では、梁としてはＨ形鋼のフランジを水平方向に配置た梁を用いるのが一般的である。
【００１８】
補強梁は鉄骨梁又は木造梁からなり、予め補強が必要であるとされた屋根梁に沿って配置されると共に、長手方向の複数の部位に配置された接合金物を介して屋根梁に接合される。
【００１９】
屋根梁に対する補強が必要であるか、否かを検討する場合、新たに設置する勾配屋根の荷重や積載荷重が設定され、これらの荷重に応じて既存の陸屋根に配置された屋根梁に対する補強の要否が決定される。即ち、予め補強の要否の基準となる梁の長さ，機能等の基準となる条件を設定しておき、勾配屋根の荷重や屋根荷重を支持する屋根梁を前記基準と比較し、該基準を満足した屋根梁を補強を必要とする屋根梁として決定するものである。
【００２０】
補強梁は、材料やせい等からなる断面条件が屋根梁と同一の仕様である必要はなく、負担すべき負荷の大きさと、既存の屋根梁が負担し得る負荷条件等に応じて設定される。また補強梁の長さは、屋根梁の長さと同一である必要はないが、略等しいか、或いは同一であることが好ましい。
【００２１】
補強梁を屋根梁に接合する場合、補強梁は住宅の屋根に既に配置されている屋根梁に隙間なく沿わされて一体化するものではなく、屋根の厚さ分離隔して沿わされる。即ち、屋根梁は屋根パネルの屋内側に配置されているが、補強パネルは屋根パネルの上面側に配置され、両梁は長さ方向の複数の位置に配置された接合金物を介して一体化している。
【００２２】
従って、新たな負荷が補強梁に作用したとき、この負荷は接合金物を介して屋根梁に伝達され、更に、屋根梁を支持する柱によって支持される。即ち、補強梁と屋根梁は互いに離隔して配置されるものの、接合金物を介して一体化することで、合成梁としての機能を発揮することが可能となる。
【００２３】
接合金物は、下端に屋根梁に対する下部取付片が形成され、上端に補強梁を取り付ける上部取付片が設けられ、下部取付片と上部取付片との距離は、屋根梁に対する取付面（一般的には屋根梁の上フランジ）から、補強梁の下面が屋根の上面を回避し得る高さに設定されている。
【００２４】
接合金物を屋根梁に取り付ける場合、作業は屋根の上面側からのみ行うことが好ましい。このため、屋根梁の上フランジに屋根上からのドリリング作業によって穴を形成すると共に、該穴にワンサイドファスナーやマイティーロック（登録商標か？）を利用してボルト結合することで、接合金物を屋根梁に取り付けられるようにすることが好ましい。
【００２５】
上記の如く、ワンサイドファスナー等を利用して接合金物を屋根梁に取り付けるように構成することで、屋根パネルの撤去作業，屋根梁に対する穴明け作業，接合金物の取付作業等のリフォームに要する全ての作業を屋根上側から行うことが可能となり、作業性が向上し、且つ住人に対する迷惑を軽減することが可能となる。
【００２６】
接合金物を屋根梁に取り付ける場合、作業を屋根面から行うために、下部取付片に形成するボルト穴と、上部取付片に形成するボルト穴の位置を一致させることなく、ずらしておくことが好ましい。この場合、下部取付片に形成するボルト穴は屋根梁の上フランジの寸法範囲内で如何なる寸法に設定しても良く、上部取付片に形成するボルト穴も補強梁の寸法範囲内で如何なる寸法に設定しても良い。
【００２７】
しかし、屋根パネルを撤去する際に、撤去量を減少させて作業を容易に行うために、下部取付片のボルト穴を上部取付片のボルト穴の内側に配置することが好ましい。上下のボルト穴の関係をこのようにすることで、下部取付片の寸法を上部取付片の寸法よりも小さくして屋根パネルに形成する孔を小さくすることが可能となる。
【００２８】
また接合金物に於ける下部取付片に形成したボルト穴の上方は開放されていることが好ましい。この場合、下部取付片に形成したボルト穴の上方に邪魔な部材がないことから、接合金物を屋根梁に取り付ける作業を屋根上側から容易に行うことが可能となる。
【００２９】
屋根梁に作用する負荷が増大することに伴って、該屋根梁と柱とを接続する接続部位に作用する負荷も増大する。このため、屋根梁と柱との接続部位に配置されたボルト等に作用する剪断力も増大することとなる。
【００３０】
この場合、既存の柱の直上に連結金物を載置して該連結金物に補強梁を連結することで、該連結金物を介して補強梁に作用する鉛直方向の力を柱に直接伝達することが必要となる。このように、連結金物によって屋根梁と柱との接続部位に配置されたボルトに作用する剪断力の一部を分担することが可能である。前記連結金物は、鉛直方向の力を既存の柱に伝達する機能を有するものであり、柱の頂部に載置されていれば良い。
【００３１】
既存の柱の形状は特に限定するものではなく、Ｈ形鋼や溝形鋼を利用した柱、或いは角パイプや、リップ溝形鋼を抱き合わせて構成した管柱等、何れの柱であっても対応することが可能である。
【００３２】
次に、本発明に係る合成梁構造と接合金物を利用して、既存の陸屋根を勾配屋根にリフォームする場合の実施例について説明する。図１は勾配屋根の構造を説明する斜視図である。図２は勾配屋根の小屋組を説明する斜視図である。図３は合成梁の構成を説明する図である。図４は合成梁を既存の柱の直上に載置した連結金物に連結した状態を説明する図である。図５は接合金物の構成を説明する図である。図６は接合金物の他の例を説明する図である。図７は連結金物の構成を説明する図である。
【００３３】
先ず、図１，２により新たに設置する勾配屋根の構造について簡単に説明する。既存の鉄骨躯体を有する住宅に形成された陸屋根Ａに新たに勾配屋根Ｂを設置する場合、予め設定された規則に従って小屋組を作成することで、陸屋根Ａの上面に前記小屋組を構成する棟木１，母屋２，桁３，垂木４，束５，束受け梁６，隅木７等の配置位置が設定される。
【００３４】
勾配屋根Ｂの荷重は束５から屋根梁１１（図３参照）に伝達され、或いは束受け梁６を介して屋根梁１１に伝達される。特に、束５に作用する勾配屋根Ｂの荷重や、屋根パネル１２を介して伝達される屋根荷重に応じて既存の陸屋根Ａに配置された屋根梁１１に対する補強の要否が決定される。
【００３５】
即ち、予め補強の要否の基準となる梁の長さ，機能等の基準となる条件を設定しておき、束５を介して勾配屋根Ｂの荷重や屋根荷重を支持する機能を持った屋根梁１１を前記基準と比較し、該基準を満足した屋根梁１１を補強を必要とする屋根梁１１として決定し、該屋根梁１１に補強梁１３を沿わせることで、増加した勾配屋根Ｂの荷重や屋根パネル１２が負担すべき荷重が伝達されたとき、これらの荷重を支持することが可能となる。
【００３６】
このように、束５を介して荷重が伝達される全ての屋根梁１１が必ずしも補強を必要とするものではなく、補強が必要な屋根梁１１は予めリフォームを実行する段階で決定される。また補強梁１３の材質や、断面形状、寸法及び沿わせるべき屋根梁１１の長さに対応する長さ等の仕様が設定され、この仕様に基づいて必要な補強梁１３が製作される。
【００３７】
補強梁１３は、対象となる屋根梁１１に直接沿わされるものではなく、陸屋根Ａを構成する屋根パネル１２の上面側に配置され、長手方向の複数の位置に配置された接合金物１４を介して接合される。そして屋根梁１１と補強梁１３が互いに接合されることで図３に示す合成梁Ｃが構成される。
【００３８】
即ち、合成梁Ｃは、既存の陸屋根Ａを構成する屋根梁１１であって予め補強が必要であることが決定された屋根梁１１に対し、陸屋根Ａの厚さ分離隔して配置された補強梁１３が接合金物１４によって接合されて構成されている。
【００３９】
合成梁Ｃを構成する補強梁１３の上部には束５が配置されており、該束５を介して伝達された勾配屋根Ｂの屋根荷重を含む荷重は、補強梁１３，接合金物１４を介して屋根梁１１に伝達され、屋根梁１１に伝達された荷重はボルト１５を介して既存の柱１６に伝達されて支持される。
【００４０】
屋根梁１１と補強梁１３を接合する際の接合部位及び数は限定するものではない。本実施例では、両梁１１，１３は両端側の２個所が接合されている。しかし特に屋根梁１１，補強梁１３の長さが長い場合には、両端側と中央の３個所で接合することが好ましい。このように、屋根梁１１と補強梁１３を少なくとも２個所で接合することで、両梁１１，１３は接合金物１４を介して一体化し、新たに補強梁１３によって屋根梁１１を補強した合成梁Ｃとして機能させることが可能である。
【００４１】
補強梁１３は、屋根梁１１を補強し得るものであれば良く、鉄骨梁或いは木造梁を用いることが可能である。本実施例では、補強梁１３は、予め設定された荷重等の条件に応じた断面形状を有するＨ形鋼を用いている。
【００４２】
屋根梁１１と補強梁１３を接合する接合金物１４は、図５に示すように、屋根梁１１のフランジ１１ａに取り付けられる下部取付片１４ａと、補強梁１３のフランジ１３ａに取り付けられる上部取付片１４ｂと、下部取付片１４ａに形成されたボルト穴１４ｃと、上部取付片１４ｂに形成されたボルト穴１４ｄと、両取付片１４ａ，１４ｂを接続する垂直片となる接続片１４ｅとを有して構成されている。
【００４３】
下部取付片１４ａに形成されたボルト穴１４ｃは、上部取付片１４ｂに形成されたボルト穴１４ｄの内側に位置するように設定されている。このため、下部取付片１４ａは、屋根梁１１のフランジの幅と略等しい幅寸法と、上部取付片１４ｂの長さよりも短く設定された長さを有しており、上部取付片１４ｂは補強梁１３のフランジ１３ａの幅と略等しい幅寸法と、下部取付片１４ａよりも長い長さを有している。また下部取付片１４ａに形成されたボルト穴１４ｃの直上には、少なくとも上部取付片１４ｂが位置することがなく、上方から覗いたとき、ボルト穴１４ｃまでの間に障害物が存在することはない。従って、屋根梁１１に接合金物１４を取り付ける際に、下部取付片１４ａに形成されたボルト穴１４ｃに対してボルトを挿通する際の作業を上側から容易に進行することが可能である。
【００４４】
また接合金物１４を構成する接続片１４ｅは、１枚の板材が起立した起立片からなり、且つ接続片１４ｅの高さは、予め設定された屋根梁１１と補強梁１３との距離に応じて設定されている。
【００４５】
次に、予め設定された屋根梁１１に補強梁１３を接合して合成梁Ｃを構成する際の手順について簡単に説明する。
【００４６】
前述したように、予め屋根梁１１の内、補強梁１３による補強が必要な梁が設定され、夫々の屋根梁１１に対応して補強梁１３が設定される。従って、補強すべき屋根梁１１の直上の屋根パネル１２にホールソーによって接合金物１４の下部取付片１４ａよりも大きい径の穴を形成することで、屋根梁１１のフランジ１１ａを露出させ、このフランジ１１ａに接合金物１４を載置する。その後、陸屋根Ａの上方から接合金物１４の下部取付片１４ａに形成されたボルト穴１４ｃを確認しつつ、ワンサイドファスナー等の一方向から作業し得る固定具１７によって接合金物１４を固定する。
【００４７】
目的の屋根梁１１に所定数（２個〜３個）の接合金物１４を取り付けた後、これらの接合金物１４の上部取付片１４ｂに補強梁１３を載置し、ボルト穴１４ｄを利用してボルト，ナットにより固定する。これにより、屋根梁１１と補強梁１３とが一体化した合成梁Ｃが構成される。
【００４８】
上記の如く、屋根梁１１と補強梁１３を接合する際に、屋根梁１１の直上に於ける陸屋根Ａの２個所〜３個所の屋根パネル１２に、直径が１５０ｍｍ程度のホールソーによって穴を形成すれば良く、また接合金物１４を屋根梁１１に取り付ける作業も陸屋根Ａの上面側から行うことが可能である。このため、作業性の向上をはかることが可能であり、且つ住人に対し最小限の迷惑をかけることでリフォームすることが可能となる。
【００４９】
屋根梁１１と補強梁１３を接合する接合金物としては、前述した接合金物１４の他に図６に示すように構成された接合金物１８であっても利用することが可能である。この接合金物１８は、側面視がＣ型に形成されており、Ｃ型の対向する端部に下部取付片１８ａが形成され、Ｃ型の背部に上部取付片１８ｂが形成されている。下部取付片１８ａにはボルト穴１８ｃが形成されており、上部取付片１８ｂにもボルト穴１８ｄが形成されている。また下部取付片１８ａと上部取付片１８ｂを接続する２つの接続片１８ｅが形成されている。
【００５０】
特に、下部取付片１８ａに形成されたボルト穴１８ｃは、上部取付片１８ｃに形成されたボルト穴１８ｄの内側になるように形成されており、且つ上部ｋ取付片１８ｂに於けるボルト穴１８ｃと対向する位置には、開口１８ｆが形成されており、該開口１８ｆを利用してワンサイドファスナーを操作し得るように構成されている。
【００５１】
上記の如く構成された接合金物１８を利用した場合であっても、屋根梁１１と補強梁１３を確実に接合して合成梁Ｃを構成することが可能である。
【００５２】
尚、上記の如き接合金物は、必ずしも屋根梁１１と補強梁１３を接合することのみに用いられるものではなく、例えば、図２に示す外通りの桁３を、図示しない外通り梁に接合する接合金物２０として用いることが可能である。
【００５３】
即ち、本発明に係る接合金物は、下部取付片に形成されたボルト穴が上部取付片に形成されたボルト穴の内側に配置されることから、下部取付片の大きさを上部取付片よりも小さくすることが可能であり、このため、撤去すべき陸屋根Ａの面積を小さくすることが可能となるのである。
【００５４】
補強梁１３から屋根梁１１に伝達された荷重が、屋根梁１１と柱１６とを接続するボルト１５の許容せん断力よりも大きくなったとき、補強梁１３に作用する力を柱１６に直接伝達して支持しうるように構成することが必要となる。特に、屋根梁１１には新たな荷重を支持する余裕は大きくないのが一般的であるが、これに比較して柱１６が支持し得る力の余裕は大きい。このため、柱１６に特別な補強を施すことなく、増加した荷重を支持し得るのが一般的である。
【００５５】
この場合、図４に示すように、柱１６の直上に穴を形成し、その後、柱１６に図７に示すように構成された連結金物１９を載置し、該連結金物１９に補強梁１３の端部を連結することで、合成梁Ｃと柱１６との連結部位を既存の柱１６と屋根梁１１との連結に加えて、補強梁１３と連結金物１９を介して柱１６と連結することが可能である。
【００５６】
連結金物１９は、柱１６の断面形状と略等しい断面形状を有する本体１９ａと、高さ方向運の所定位置に固着され補強梁１３のウエブ１３ｂに設けた連結部材２０を連結するための連結片１９ｂと、を有して構成されている。この連結金物１９は、既存の柱１６の頂部に載置されるのみで配置され、連結片１９ｂに合成梁Ｃを構成する補強梁１３のウエブ１３ｂがボルト１５を介して連結される。
【００５７】
上記の如く合成梁Ｃを構成する屋根梁１１と補強梁１３を夫々既存の柱１６及び連結金物１９の連結片１９ｂに連結することで、補強梁１３に作用する勾配屋根Ｂの屋根荷重を含む荷重を、屋根梁１１を介して柱１６に、及び補強梁１３，連結金物１９を介して柱１６に伝達して該柱１６によって支持することが可能である。
【００５８】
上記の如く、既存の陸屋根Ａに於ける補強する必要のある屋根梁１１の直上にホールソーによって複数の穴を形成し、この穴に接合金物１４を挿入して屋根梁１１に取り付けると共に、接合金物１４に補強梁１３を接合することで合成梁Ｃを構成することが可能であり、更に、既存の柱１６の直上にホールソーによって穴を形成して連結金物１９を挿入すると共に柱１６に載置し、この連結金物１９に補強梁１３を連結することで、屋根梁１１が単独で支持し得る荷重よりも大きい荷重を支持することが可能である。
【００５９】
【発明の効果】
以上詳細に説明したように本発明に係る合成梁構造では、既存の屋根の上側から施工することが出来る。このため、内装を撤去する必要がなく、住人が住んだ状態で工事を進行することが出来る。また屋根の防水層や断熱材，屋根パネルの撤去を最小限に抑えることが出来、防水養生も簡単になる。
【００６０】
また増加した荷重や力は、補強梁から屋根梁に対し接合金物を介して伝達されるため、これらの力を補強梁及び屋根梁によって負担することが出来る。特に、既存の柱の直上に形成した孔を利用して該柱に連結金物を載置すると共に連結金物を利用して補強梁を連結した場合、補強梁に作用する鉛直方向の力の一部を連結金物を介して既存の柱に直接伝達して屋根梁と既存の柱との連結部位に過大な剪断力を作用させることがない。
【００６１】
また本発明に係る接合金物では、下部取付片に形成されたボルト穴が上部取付片に形成されたボルト穴よりも内側に形成されるため、下部取付片を上部取付片よりも小さくすることが出来る。このため、既存の屋根パネルに於ける撤去すべき部位の面積を小さくすることが可能となり、撤去すべき屋根パネルの面積を小さくして作業性を向上させることが出来る。
【００６２】
更に、上記接合金物では、下部取付片の上部に上部取付片を存在させないようにすることによって、下部取付片に形成されたボルト穴が上面側から視認し得るようになるため、屋根梁に対する取付作業を上面側から行うことが出来る。このため、屋根に穴を明ける作業、屋根梁に穴を明ける作業、屋根梁に接合金物を取り付ける作業を含む全ての作業を屋根上側から行うことが出来、住人に対する迷惑を軽減することが出来る。
【図面の簡単な説明】
【図１】勾配屋根の構造を説明する斜視図である。
【図２】勾配屋根の小屋組を説明する斜視図である。
【図３】合成梁の構成を説明する図である。
【図４】合成梁を既存の柱の直上に載置した連結金物に連結した状態を説明する図である。
【図５】接合金物の構成を説明する図である。
【図６】接合金物の他の例を説明する図である。
【図７】連結金物の構成を説明する図である。
【符号の説明】
Ａ　　　　　　　　　　　　陸屋根
Ｂ　　　　　　　　　　　　勾配屋根
Ｃ　　　　　　　　　　　　合成梁
１　　　　　　　　　　　　棟木
２　　　　　　　　　　　　母屋
３　　　　　　　　　　　　桁
４　　　　　　　　　　　　垂木
５　　　　　　　　　　　　束
６　　　　　　　　　　　　束受け梁
７　　　　　　　　　　　　隅木
１１　　　　　　　　　　　　屋根梁
１１ａ　　　　　　　　　　　フランジ
１２　　　　　　　　　　　　屋根パネル
１３　　　　　　　　　　　　補強梁
１３ａ　　　　　　　　　　　フランジ
１３ｂ　　　　　　　　　　　ウエブ
１４，１８　　　　　　　　　　接合金物
１４ａ，１８ａ　　　　　　　　下部取付片
１４ｂ，１８ｂ　　　　　　　　上部取付片
１４ｃ，１４ｄ，１８ｃ，１８ｄ　　ボルト穴
１４ｅ，１８ｅ　　　　　　　　接続片
１８ｆ　　　　　　　　　　　開口
１５　　　　　　　　　　　　ボルト
１６　　　　　　　　　　　　柱
１７　　　　　　　　　　　　固定具
１９　　　　　　　　　　　　連結金物
１９ａ　　　　　　　　　　　本体
１９ｂ　　　　　　　　　　　連結片
２０　　　　　　　　　　　　接合金物
【図１】
2004092036.tif 000003
【図２】
2004092036.tif 000004
【図３】
2004092036.tif 000005
【図４】
2004092036.tif 000006
【図５】
2004092036.tif 000007
【図６】
2004092036.tif 000008
【図７】
2004092036.tif 000009